(57)【要約】【課題】  大入賞口に入球された遊技球を第１通過領域又は第２通過領域のいずれかに振り分けることを安定して行える弾球遊技機を提供する。【解決手段】  弾球遊技機に設けられた大入賞口装置８は、大入賞口に具備された空間の底部に設けられ、遊技球を一般通過開口部８５に誘導する誘導部８９と、所定条件が成立するか否かに基づいて、振り分け部材８２を、遊技球が誘導部８９により一般通過開口部８５へ振り分けられる第一位置と、前壁部９０と対向した間隔が遊技球の直径より小さくなる位置であって、かつ、誘導部８９の上方において遊技球が前壁部９０とで支持されて特定通過開口部８６に振り分けられる第二位置とのうち、いずれかの位置に可動するように駆動する振り分けソレノイド８３とを有する。【選択図】    図３
2005152272.tif 000002
【特許請求の範囲】
【請求項１】
特定条件の成立により、遊技球が入球されやすい開状態となり、前記遊技球を受け入れる空間を具備する大入賞口と、
前記大入賞口に入球した遊技球を受け入れ可能な通過領域である第一通過領域及び第二通過領域と、
前記遊技球を前記第一通過領域又は前記第二通過領域に案内し、前記大入賞口に具備された前記空間に設けられた壁部と、
前記遊技球を前記第一通過領域へ振り分けるための第一位置と、前記第二通過領域へ振り分けるための第二位置とに可動可能な振り分け部材と、
前記振り分け部材を駆動する振り分け駆動手段とを具備する大入賞口装置を有する弾球遊技機であって、
前記大入賞口装置は、前記大入賞口に具備された前記空間の底部に設けられ、前記遊技球を前記第一通過領域に誘導する誘導部を有し、
前記振り分け駆動手段は、所定条件が成立するか否かに基づいて、前記振り分け部材を、前記遊技球が前記誘導部により前記第一通過領域へ振り分けられる前記第一位置と、前記壁部と対向した間隔が遊技球の直径より小さくなる位置であって、かつ、前記誘導部の上方において前記遊技球が前記壁部とで支持されて前記第二通過領域に振り分けられる前記第二位置とに可動するように駆動することを特徴とする弾球遊技機。
【請求項２】
前記誘導部は、水平方向に対して、前記遊技球を前記第一通過領域に誘導するための第一の所定角度で傾斜して構成されていることを特徴とする請求項１に記載の弾球遊技機。
【請求項３】
前記壁部又は前記振り分け部材には、水平方向に対して、前記遊技球を前記第二通過領域に誘導するための第二の所定角度で傾斜して構成された誘導凸部が設けられており、
前記振り分け駆動手段が前記振り分け部材を前記第二位置に可動するように駆動する場合、前記第二位置は、前記誘導凸部と前記壁部又は振り分け部材との間の間隔が遊技球の直径より小さくなる位置であって、かつ、前記誘導部の上方において前記遊技球が前記誘導凸部と前記壁部又は振り分け部材とで支持されて前記第二通過領域に振り分けられる位置であることを特徴とする請求項１又は２に記載の弾球遊技機。
【請求項４】
前記振り分け部材は、上下方向に可動可能であり、
前記誘導部の上面は、前記第一の所定角度で傾斜して形成されており、
前記振り分け部材の底面は、前記振り分け部材が前記第一位置と前記第二位置との間を可動している状態のうち、いずれの状態であっても、当該底面の傾斜が前記誘導部の上面の傾斜と平行でないように形成されていることを特徴とする請求項２又は３に記載の弾球遊技機。
【発明の詳細な説明】
【技術分野】
【０００１】
本発明は、パチンコ遊技機などの弾球遊技機に関する。
【背景技術】
【０００２】
従来のパチンコ遊技機では、遊技領域に投入された遊技球が始動口に入球すると、特別図柄の変動表示、その停止が行われ、停止した特別図柄の組み合わせが、所定の組み合わせの場合には、大入賞口が開状態に設定され、多くの遊技球が上記大入賞口に入球される。これにより、多くの賞球の払い出しが遊技者に対して行われる。
【０００３】
この遊技機において、大入賞口に入球された遊技球の受け入れが可能な特定通過領域と一般通過領域とを具備する大入賞口装置が設けられている。そして、大入賞口に入球した遊技球が、所定時間内に、特定通過領域に受け入れられることを条件として、大入賞口の開状態が継続して行われる。例えば、以下に示す１ラウンドの間に、大入賞口に入球した遊技球が、特定通過領域に受け入れられることを条件として、大入賞口の開状態が継続して行われる。１ラウンドとは、以下のようなものである。大入賞口の開放開始から所定時間（約３０秒）経過した場合や、大入賞口に入球した遊技球の数が所定数（例えば、１０個）に達した場合には、大入賞口は一旦閉状態にされる。この１回の開閉動作を１ラウンドという。
【０００４】
また、大入賞口装置の底部には、大入賞口に入球された遊技球を一般通過領域又は特定通過領域のいずかに振り分けるシーソー部が設けられている。このシーソー部は、例えば、上記１ラウンドの間において、遊技球が特定通過領域に受け入れられるまでの間は、大入賞口に入球した遊技球を特定通過領域に誘導するように駆動され、遊技球が特定通過領域に受け入れられた後は、大入賞口に入球した遊技球を一般通過領域に誘導するように駆動される。
【０００５】
このようなシーソー部により、大入賞口に入球した遊技球が特定通過領域に誘導されるので、大入賞口の開状態が継続して行われる可能性が高くなり、遊技者の遊技意欲を高めることができる（例えば、特許文献１，２参照）。
【特許文献１】実用新案登録３０７３８９２
【特許文献２】特開２０００−３５０８１９号公報
【発明の開示】
【発明が解決しようとする課題】
【０００６】
しかしながら、上述した従来技術では、以下のような問題があった。上述したシーソー部は、大入賞口装置の底部に設けられている。このため、例えば、ゴミなどがシーソー部に落下してきたりするので、遊技中において、シーソー部に設けられた隙間などに、ゴミなどが溜まってしまうことが多い。この結果、シーソー部が、例えば、遊技球を特定通過領域に誘導する場合に、隙間に溜まったゴミなどのために、上記誘導のために必要な所定の動きが行えず、遊技球を特定通過領域に誘導することができない場合があった。従って、大入賞口に入球された遊技球を特定通過領域又は一般通過領域のいずれかに振り分けることを安定して行えないという問題があった。
【０００７】
本発明は、以上のような問題に鑑みてなされたものであり、大入賞口に入球された遊技球を第１通過領域又は第２通過領域のいずれかに振り分けることを安定して行える弾球遊技機を提供することを目的とする。
【課題を解決するための手段】
【０００８】
以上の問題点を解決するために、本発明は、特定条件の成立（例えば、例えば、メインＣＰＵ３１により遊技状態が大当たり遊技状態に移行されると判定された場合）により、遊技球が入球されやすい開状態となり、前記遊技球を受け入れる空間（例えば、受け入れ空間）を具備する大入賞口と、前記大入賞口に入球した遊技球を受け入れ可能な通過領域である第一通過領域（例えば、一般通過開口部８５）及び第二通過領域（例えば、特定通過開口部８６）と、前記遊技球を前記第一通過領域又は前記第二通過領域に案内し、前記大入賞口に具備された前記空間に設けられた壁部（例えば、前壁部９０）と、前記遊技球を前記第一通過領域へ振り分けるための第一位置と、前記第二通過領域へ振り分けるための第二位置とに可動可能な振り分け部材（例えば、振り分け部材８２）と、前記振り分け部材を駆動する振り分け駆動手段（例えば、振り分けソレノイド８３）とを具備する大入賞口装置（例えば、大入賞口装置８）を有する弾球遊技機であって、前記大入賞口装置は、前記大入賞口に具備された前記空間の底部に設けられ、前記遊技球を前記第一通過領域に誘導する誘導部（例えば、誘導部８９）を有し、前記振り分け駆動手段は、所定条件が成立するか否かに基づいて、前記振り分け部材を、前記遊技球が前記誘導部により前記第一通過領域へ振り分けられる前記第一位置と、前記壁部と対向した間隔が遊技球の直径より小さくなる位置であって、かつ、前記誘導部の上方において前記遊技球が前記壁部とで支持されて前記第二通過領域に振り分けられる前記第二位置とに可動するように駆動することを特徴とするものである。
【０００９】
このため、振り分け部材が第一位置に存在するときには、大入賞口に入球された遊技球２は、誘導部に落下した場合、誘導部により第一通過領域へ誘導される。一方、振り分け部材が第二位置に存在するときには、大入賞口に入球された遊技球は、壁部と振り分け部材とにより、遊技球が支持された場合、遊技球は、壁部と振り分け部材とにより支持されながら、第二通過領域へ誘導される。
【００１０】
このように、振り分け部材を第一位置又は第二位置に可動させることにより、遊技球を誘導部を介して第一通過領域に振り分けるか、又は、遊技球を壁部及び振り分け部材を介して、第二通過領域のいずれかに振り分けるようにしているので、従来のシーソー部を設ける必要がなく、この結果、ゴミが溜まってしまうと振り分け動作が安定しなくなるような隙間を、上記空間の底部に設ける必要がない。このため、従来、隙間に溜まったゴミなどのために、上記振り分けのために必要な所定の動きが行えず、遊技球を第一通過領域又は第二通過領域に誘導することができないという事態が、本発明では、防止される。
【００１１】
従って、本発明では、大入賞口に入球された遊技球を第一通過領域又は第二通過領域のいずれかに振り分けることを安定して行える大入賞口装置を有する遊技機を提供することが可能となる。
【００１２】
また、本発明においては、大入賞口に具備されている空間内において、遊技球が誘導部を介して、第一通過領域に誘導されるか、又は、遊技球が壁部及び振り分け部材を介して、第二通過領域に誘導される。このため、遊技者は、大入賞口が開状態になっているとき、遊技球が誘導部を介して第一通過領域に誘導されるか、又は、遊技球が壁部及び振り分け部材を介して、第二通過領域に誘導される様子を大入賞口に設けられた開口を介して、視認することができる。この結果、遊技者は、大入賞口に入球された遊技球が大入賞口内の底部からあたかも浮遊しているように感じるので、遊技者を楽しませることができる。
【００１３】
上記発明において、前記誘導部は、水平方向に対して、前記遊技球を前記第一通過領域に誘導するための第一の所定角度で傾斜して構成されていることが好ましい。このため、誘導部は、振り分け部材が第一位置に存在するときに、大入賞口に入球された遊技球が誘導部に落下した場合、上記遊技球を確実に第一通過領域へ誘導することができる。
【００１４】
また、上記発明において、前記壁部又は前記振り分け部材には、水平方向に対して、前記遊技球を前記第二通過領域に誘導するための第二の所定角度で傾斜して構成された誘導凸部（例えば、誘導凸部８８）が設けられており、前記振り分け駆動手段が前記振り分け部材を前記第二位置に可動するように駆動する場合、前記第二位置は、前記誘導凸部と前記壁部又は振り分け部材との間の間隔が遊技球の直径より小さくなる位置であって、かつ、前記誘導部の上方において前記遊技球が前記誘導凸部と前記壁部又は振り分け部材とで支持されて前記第二通過領域に振り分けられる位置であるようにしてもよい。
【００１５】
このため、振り分け部材が第二位置に存在するときに、大入賞口に入球された遊技球が誘導凸部と振り分け部材又は壁部との間に落下した場合、上記遊技球２を確実に第二通過領域へ誘導することができる。
【００１６】
また、上記発明において、前記振り分け部材は、上下方向に可動可能であり、前記誘導部の上面（例えば、誘導部の上面８９ａ）は、前記第一の所定角度で傾斜して形成されており、前記振り分け部材の底面（例えば、振り分け部材の底面８２ａ）は、前記振り分け部材が前記第一位置と前記第二位置との間を可動している状態のうち、いずれの状態であっても、当該底面の傾斜が前記誘導部の上面の傾斜と平行でないように形成されていることが好ましい。
【００１７】
遊技球が誘導部の上面に存在しているときに、振り分け部材が第二位置に移動しようとしている場合、振り分け部材の底面と、誘導部の上面とにより遊技球２が挟まれる場合がある。このような場合、上記底面の傾斜が誘導部の上面の傾斜と平行であると、遊技球が挟まったまま、移動できなくなってしまい、その遊技球の振り分けができなくなってしまうとともに、振り分け部材がそのまま動かなくなってしまうことになる。     
。本発明では、上記底面の傾斜が誘導部の上面の傾斜と平行でないので、遊技球が上記底面及び誘導部の上面に挟まれても、移動することが可能であり、その遊技球の振り分けを行えるとともに、振り分け部材が動かなくなってしまう事態が回避できる。従って、大入賞口に入球された遊技球を第一通過領域又は第二通過領域のいずれかに振り分けることを一層安定して行うことが可能である。
【発明の効果】
【００１８】
以上説明したように、本発明によれば、大入賞口に入球された遊技球を一般通過領域又は特定通過領域のいずれかに振り分けることを安定して行える大入賞口装置を有する遊技機を提供することが可能となる。
【発明を実施するための最良の形態】
【００１９】
本実施形態における弾球遊技機１の構成について、図面を参照しながら説明する。図１は、本実施形態における弾球遊技機１の全体を示す斜視図である。
【００２０】
本実施形態における弾球遊技機１の構成について、以下に説明する。弾球遊技機１は、遊技場に弾球遊技機１を設置するために設けられている外枠５０と、外枠５０の内側に開閉可能に設けられている前面枠（以下、前枠という）１０と、外枠５０に組み込まれた遊技盤３０と、払い出された遊技球を受け入れる上皿部２０と、上皿部２０に入りきらない遊技球を受け入れる下皿部２１と、回転操作されることにより遊技盤３０上の遊技領域に向けて遊技球を発射するように構成された発射ハンドル２４とを具備する。
【００２１】
遊技盤３０上の遊技領域には、液晶表示装置（図示せず）と、始動口６と、大入賞口装置８と、アウト口７と、一般入賞口５、第１遊技球誘導部材３ａと、第２遊技球誘導部材３ｂとが具備されている。
【００２２】
液晶表示装置は、始動口６に具備されている始動領域を遊技球が通過したことを条件として、表示領域に表示された特別図柄の可変表示を実行したり、各種の演出画像の表示を行う。
【００２３】
第１遊技球誘導部材３ａ及び第２遊技球誘導部材３ｂは、遊技球の流下方向を大きく変化させるものである。第１遊技球誘導部材３ａは、遊技球が流下可能な遊技領域の上方に位置するように配設され、遊技盤３０の面に対して直角に立設された壁体から構成される。第２遊技球誘導部材３ｂは、当該遊技領域の下方に位置するように配設され、遊技盤３０の面に対して直角に立設された壁体から構成される。
【００２４】
一般入賞口５は、当該一般入賞口５に遊技球が入球すると所定数（例えば、１５個）の遊技球（賞球）が払い出されるように構成されており、遊技球の入球により遊技者に所定の利益（賞球の払い出し）を付与するためのものである。始動口６は、当該始動口６に遊技球が入球すると大当り判定用の乱数値及び大当り図柄決定用の乱数値などが抽出されるように構成されている。アウト口７は、始動口６や一般入賞口５などのいずれにも入球しなかった遊技球を受け入れる。
【００２５】
大入賞口装置８は、特定条件の成立により、遊技球が入球されやすい開状態となり、遊技球を受け入れる空間を具備する大入賞口と、大入賞口に入球した遊技球を受け入れ可能な通過領域である一般通過領域及び特定通過領域（いわゆるＶゾーン）と、を具備し、大入賞口に遊技球が入球されると、所定数（例えば、１５個）の遊技球が賞球として払い出されるように構成されている。ここで、特定条件の成立とは、例えば、メインＣＰＵ３１により遊技状態が大当たり遊技状態に移行されると判定された場合のことである。また、大入賞口装置８は、大入賞口の扉部８０の開閉動作を駆動する大入賞口ソレノイド８ａと、後述の振り分け部材８２の可動動作を駆動する振り分けソレノイド８３とを具備する。これらの大入賞口ソレノイド８ａと振り分けソレノイド８３とは、遊技盤３０上に配設されている。なお、大入賞口装置８の詳細な構成の説明は、後述する。  
図２は、本実施形態における弾球遊技機（以下、単に遊技機という）の制御部を示すブロック図である。図２に示すように、遊技機の制御部は、主制御回路３０と副制御回路４０と払出・発射制御回路７９とにより構成される。
【００２６】
主制御回路３０は、メインＣＰＵ３１と、メインＲＯＭ３２と、メインＲＡＭ３３と、シリアル通信用ＩＣ３６とを具備する。
【００２７】
また、主制御回路３０には、大入賞口装置８に具備されている特定通過領域（Ｖゾーン）を通過した遊技球の数を計数するためのＶ・カウントスイッチ２８Ｓと、大入賞口装置８に具備されている一般通過領域を通過した遊技球の数を計数するためのカウントスイッチ２９Ｓと、一般入賞口５に遊技球が入賞したことを検出する一般入賞球スイッチ１８Ｓと、始動口６に具備されている始動領域を遊技球が通過したことを検出する始動入賞球スイッチ６Ｓと、大入賞口の扉部８０が開閉動作するための駆動を行う大入賞口ソレノイド８ａと、大入賞口に入球した遊技球を一般通過領域に振り分けるための第一位置と、上記遊技球を特定通過領域に振り分けるための第二位置とに可動可能な振り分け部材８２を駆動する振り分けソレノイド８３と、遊技盤３０上の遊技領域に遊技球を発射する制御又は所定数の遊技球を払い出す制御を実行する払出・発射制御回路７９とが接続されている。
【００２８】
メインＣＰＵ３１は、遊技状態を大当たり遊技状態に移行させるか否かを判定する大当たり判定手段である。具体的には、メインＣＰＵ３１は、始動入賞球スイッチ６Ｓにより入力された入力信号を検出したこと（すなわち、始動口６に具備されている始動領域を遊技球が通過したこと）を条件として大当り判定用の乱数値を抽出し、抽出された大当り判定用の乱数値と、大当たり判定用のテーブルに含まれる大当たり値と一致する場合には、大当たり遊技状態に移行すると判定する。
【００２９】
そして、メインＣＰＵ３１は、大当たり遊技状態に移行すると判定した場合、以下の処理を行う。即ち、メインＣＰＵ３１は、遊技状態を大当り遊技状態に移行させた場合、扉部８０を開閉するように大入賞口ソレノイド８ａを制御する。具体的には、メインＣＰＵ３１は、以下のような制御処理を行う。メインＣＰＵ３１は、扉部８０を開状態にするように大入賞口ソレノイド８ａを駆動させる。そして、メインＣＰＵ３１は、上述の駆動の開始から、所定期間（例えば、３０秒）が経過するか、所定数（例えば、１０個）の遊技球が入球すると、扉部８０を閉状態にするように大入賞口ソレノイド８ａを駆動する。また、メインＣＰＵ３１は、特定通過領域に遊技球が１球でも入球すると、所定のラウンド回数（例えば、扉部８０の開放回数が１５回）を限度として、扉部８０の開閉を繰り返すように制御する。
【００３０】
また、メインＣＰＵ３１は、所定条件が成立するか否かに基づいて、振り分けソレノイド８３が以下のような駆動を行うように指示する。振り分けソレノイド８３は、メインＣＰＵ３１からの指示に基づいて、振り分け部材８２の位置を、大入賞口に入球された遊技球を特定通過領域に誘導するための第１位置と、大入賞口に入球された遊技球を一般通過領域に誘導するための第２位置とに、振り分け部材８２を駆動する。この振り分け部材８２の駆動の詳細な説明は、後述する。
【００３１】
また、シリアル通信用ＩＣ３６は、メインＣＰＵ３１により生成された各種のコマンド（例えば、特別図柄の可変パターンを指示する可変パターンコマンド、特別図柄の停止図柄を指示する停止図柄コマンド）を副制御回路４０に出力する。
【００３２】
副制御回路４０は、サブＣＰＵ４１と、画像処理回路４５などを制御するためのプログラムを記憶するサブＲＯＭ４２と、主制御回路３０などから受信した各種コマンドを記憶するサブＲＡＭ４３と、画像処理回路４５と、音処理回路４６と、ランプ処理回路４７とを有する。
【００３３】
画像処理回路４５は、サブＣＰＵ４１からの制御データに応じて、液晶表示装置４に特別図柄の可変表示などを実行させるものであり、各種画像データを記憶する画像データＲＯＭ５４と、画像データＲＯＭ５４に記憶されている画像データに基づいて、特別図柄の可変表示などを実行するための表示画像データを生成するＶＤＰ（Video Display Processor）５１と、ＶＤＰ５１により生成された表示画像データをアナログ信号に変換するＤ／Ａコンバータ５２と、異常時に各種設定を初期値に戻す初期リセット回路５３とを有する。
【００３４】
サブＣＰＵ４１は、主制御回路３０から受信した各種コマンドに応じて、画像処理回路４５及び音処理回路４６及びランプ処理回路４７を制御する。具体的には、サブＣＰＵ４１は、メインＣＰＵ３１によって生成された可変パターンコマンドや停止図柄コマンドに基づいて画像処理回路４５を制御することによって、液晶表示装置４において特別図柄の可変表示を実行させる。
【００３５】
音処理回路４６は、サブＣＰＵ４１からの制御データに応じて、遊技者に報知する効果音や音声などをスピーカ２５から出力するものであり、各種音データを記憶する音データＲＯＭ６３と、音データＲＯＭ６３に記憶されている音データに基づいて、遊技者に報知するための出力音信号を生成する音源ＩＣ６１と、音源ＩＣ６１により生成された出力音信号を増幅するＡＭＰ６２とを具備する。
【００３６】
ランプ処理回路４７は、ランプ２６の点灯・消灯パターンを記憶する装飾データＲＯＭ７１と、サブＣＰＵ４１からの制御データに応じて、ランプ２６を点灯・消灯させるドライブ回路７２とを具備する。
【００３７】
払出・発射制御回路７９は、一般入賞口５及び大入賞口などに遊技球が入球したことを条件として出力される主制御回路３０からのコマンドに応じて、所定数の遊技球を賞球として払い出す払出装置７９ａと、遊技盤３０上の遊技領域に向けて遊技球を発射する発射装置７９ｂとを制御する。
【００３８】
次に、大入賞口装置８の詳細な構成の説明、詳細な動作の説明を行う。大入賞口装置８は、上述した大入賞口と、上述した一般通過領域及び特定通過領域と、上記大入賞口に入球した遊技球を一般通過領域又は特定通過領域に案内し、上記大入賞口に具備された空間（後述する受け入れ空間）に設けられた前壁部９０と、上述した振り分け部材８２及び振り分けソレノイド８３と、上記大入賞口に具備された空間の底部に設けられ、上記遊技球を一般通過領域に誘導する誘導部８９とを有する。
【００３９】
上述した大入賞口装置８は、正面から見て、遊技盤３０の前面の所定位置に取り付けられる。図３は、正面から見た場合において、振り分け部材８２が上方に可動している場合における大入賞口装置８の詳細な構成を示す図である。図４は、正面から見た場合において、振り分け部材８２が下方に可動している場合における大入賞口装置８の詳細な構成を示す図である。図５は、正面から見た場合において、振り分け部材８２が可動している間における大入賞口装置８の詳細な構成を示す図である。図６は、斜めから見た場合において、振り分け部材８２が上方に可動している場合における大入賞口装置８の詳細な構成を示す図である。図７は、斜めから見た場合において、振り分け部材８２が下方に可動している場合における大入賞口装置８の詳細な構成を示す図である。
【００４０】
大入賞口装置８には、当該大入賞口装置８を遊技盤３０の前面の所定位置に取り付けるための取り付け板３０ａが設けられている。この取り付け板３０ａの裏面には、前壁部９０が貼り付けるようにして設けられている。また、図６、７に示すように、取り付け板３０ａの裏面側には、前壁部９０と対向し、遊技球２の直径より大きな距離離間した位置に配置された後壁部９１が設けられている。前壁部９０の左方の側端と、後壁部９１の左方の側端との間には、第一側壁部９３ａが設けられている。前壁部９０の右方の側端と、後壁部９１の右方の側端との間には、第二側壁部９３ｂが設けられている。前壁部９０の上端と、後壁部９１の上端との間には、上壁部９５が設けられている。
【００４１】
第二側壁部９３ｂの後壁部９１側の端部には、振り分け部材用孔部９９が設けられている。この振り分け部材用孔部９９には、後述する振り分け部材８２が挿通される。振り分け部材８２の右側の太い部分が、振り分け部材用孔部９９に設けられた隙間を上下方向に可動することにより、振り分け部材８２が後述する第一位置と第二位置との間を上下方向に可動することができる。
【００４２】
また、取り付け板３０ａの裏面側に前壁部９０が設けられている状態で、取り付け板３０ａ及び前壁部９０には、左右に長い長方形状の大入賞口開口部８１が設けられている。大入賞口開口部８１には、上記大入賞口開口部８１の下端部に一端部が固定され、他端部が、実線の矢印方向に可動可能な扉部８０が設けられている。これにより、扉部８０は、正面側から見て上記大入賞口開口部８１を覆い、遊技球２が入球されにくい閉状態か、又は、正面側から見て上記大入賞口開口部８１を覆わない、遊技球２が入球されやすい開状態に可動可能となる。
【００４３】
また、前壁部９０と後壁部９１と第一側壁部９３ａと第二側壁部９３ｂとに挟まれる空間には、扉部８０が開状態になった場合に、大入賞口開口部８１から入球される遊技球２が受け入れられる。このため、上記空間は、大入賞口開口部８１から入球された遊技球２を受け入れる空間（以下、受け入れ空間という）といえる。このため、前壁部９０と後壁部９１と第一側壁部９３ａと第二側壁部９３ｂは、上記受け入れ空間の端にそれぞれ設けられているといえる。そして、上述した大入賞口開口部８１と、扉部８０と、上記受け入れ空間とは、大入賞口を構成する。
【００４４】
また、取り付け板３０ａの裏面側において、前壁部９０の左側の下端と、第一側壁部９３ａの下端と、後壁部９１の左側の下端とには、第一床部９４ａが設けられている。また、取り付け板３０ａの裏面側において、前壁部９０の右側の下端と、第二側壁部９３ｂの下端と、後壁部９１の右側の下端と、には、第二床部９４ｂが設けられている。
【００４５】
第一床部９４ａには、一般通過領域を示す開口部（以下、一般通過開口部８５という）が設けられている。第二床部９４ｂには、特定通過領域を示す開口部（以下、特定通過開口部８６という）が設けられている。以下、本明細書では、一般通過開口部８５は、一般通過領域と同義であり、特定通過開口部８６は、特定通過領域と同義であるとする。
【００４６】
一般通過開口部８５及び特定通過開口部８６は、大入賞口に入球した遊技球２を通過させるためのものである。一般通過開口部８５又はその近傍には、当該一般通過開口部８５を通過した遊技球２を検出するとともに、一般通過開口部８５を通過した遊技球２を計数するカウントスイッチ２９Ｓが設けられている。特定通過開口部８６又はその近傍には、当該特定通過開口部８６を通過した遊技球２を検出するとともに、特定通過開口部８６を通過した遊技球２を計数するＶカウントスイッチ２８Ｓが設けられている。
【００４７】
第一床部９４ａ及び第二床部９４ｂには、誘導部８９が、第一床部９４ａと第二床部９４ｂとの間を跨るように設けられている。これにより、誘導部８９は、大入賞口に具備された受け入れ空間の底部に設けられているといえる。また、誘導部８９は、大入賞口に入球した遊技球２を一般通過領域に誘導する。具体的には、以下の通りである。誘導部８９は、誘導部８９の左端の左側の近傍に一般通過開口部８５が存在するような位置に設けられている。そして、誘導部８９は、水平方向に対して、遊技球２を一般通過開口部８５に誘導するための第一の所定角度で傾斜して構成されている。なお、本明細書の水平方向とは、遊技機１を正面から見た場合の左右方向のことである。また、本明細書の左右方向、上下方向とは、遊技機１を正面から見た場合の左右方向、上下方向を示している。例えば、図３などに示すように、誘導部８９の上面８９ａは、上記第一の所定角度で傾斜して形成されている。この第一の所定角度とは、例えば、図３に示すように、誘導部８９の上面８９ａの右端の位置に対して、左端の位置が低くなるような角度である。これにより、誘導部８９の上面８９ａにある遊技球２は、左側の方向に移動し、一般通過開口部８５に誘導される。
【００４８】
また、前壁部９０の裏面には、大入賞口開口部８１及び扉部８０の下方であるとともに誘導部８９の上方の位置に、誘導凸部８８が設けられている。誘導凸部８８は、水平方向に対して、遊技球２を特定通過開口部８６に誘導するための第二の所定角度で傾斜して構成されている。第二の所定角度とは、例えば、図３に示すように、誘導凸部８８の左端の位置が、誘導凸部８８の右端の位置より上方に設けられるような角度である。誘導凸部８８の上面は、遊技機１の奥側から手前側の方向に対して、遊技球２が上記上面に接触するような角度で傾斜して形成されている。
【００４９】
そして、大入賞口装置８において、誘導凸部８８は、大入賞口装置８を上方から見て、特定通過開口部８６が上記誘導凸部８８の右端の右側の近傍に存在するような位置に、配置されている。
【００５０】
そして、前壁部９０と後壁部９１との間には、振り分け部材８２が上下方向に可動可能なように配置されている。振り分け部材８２は、大入賞口に入球された遊技球２を特定通過開口部８６に誘導するための第１位置と、大入賞口に入球された遊技球２を一般通過開口部８５に誘導するための第２位置とに可動することができる。なお、振り分け部材８２が上方向に移動できる限界の位置は、振り分け部材８２の左端部が上壁部９５に接触する位置である。
【００５１】
振り分け部材８２の右端部の上方には、振り分け部材８２が前壁部９０と後壁部９１との間を上下方向に可動可能に支持するための軸支部８２ｂが設けられている。この軸支部８２ｂは、取り付け板３０ａに固定されている。また、振り分け部材８２の右端部の下方には、２つの挟込部８２ｃが設けられている。この２つの挟込部８２ｃの間には、後述の板部８４ａの一部が挟み込まれる。
【００５２】
取り付け板３０ａ上において、大入賞口開口部８１及び扉部８０の右側には、振り分け部材８２を駆動する振り分けソレノイド８３が設けられている。この振り分けソレノイド８３の左端には、バネ８４ｂが巻かれた円柱形状の振り分け位置調整部８４ｃ（プランジャ）が設けられている。振り分けソレノイド８３は、振り分け位置調整部８４ｃを移動させる動作を行う。この振り分け位置調整部８４ｃの先端には、円盤状の板部８４ａが設けられている。
【００５３】
振り分けソレノイド８３は、所定条件（例えば、例えば、大入賞口に具備されている扉部８０が開状態になってから、初めて遊技球２が特定通過開口部８６を通過するという条件）が成立するか否かに基づいて、振り分け部材８２を、遊技球２が誘導部８９により一般通過開口部８５へ振り分けられる第一位置と、前壁部９０と対向した間隔（振り分け部材８２と前壁部９０との間の間隔）が遊技球２の直径より小さくなる位置であって、かつ、誘導部８９の上方において遊技球２が前壁部９０と振り分け部材８２とで支持されて特定通過開口部８６に振り分けられる第二位置とに可動するように駆動する。ここでは、一例として、振り分けソレノイド８３は、振り分け部材８２を、第一位置及び第二位置のうち、いずれかの位置に可動するように駆動する場合の説明を行う。
【００５４】
具体的には、振り分けソレノイド８３はが振り分け部材８２を第二位置に可動するように駆動する場合、第二位置は、誘導凸部８８と振り分け部材８２との間の間隔が遊技球２の直径より小さくなる位置であって、かつ、誘導部８９の上方において遊技球２が誘導凸部８８と振り分け部材８２とで支持されて特定通過開口部８６に振り分けられる位置である。
【００５５】
この処理の詳細な説明は以下のとおりである。振り分けソレノイド８３は、振り分けソレノイド８３の左端から突き出ている振り分け位置調整部８４ｃの長さを、第一の長さと、第二の長さとにするような駆動を行う。具体的には、振り分けソレノイド８３が、励磁されないとき、バネ８４ｂの付勢力により、振り分けソレノイド８３の左端から突き出ている振り分け位置調整部８４ｃの長さが第一の長さとなる。一方、振り分けソレノイド８３が、励磁されると、振り分けソレノイド８３は、バネ８４ｂの付勢力に逆らって、振り分けソレノイド８３の左端から突き出ている振り分け位置調整部８４ｃの長さが第二の長さとなるように、振り分け位置調整部８４ｃを移動させる。
【００５６】
この際、振り分け部材８２の右端部に設けられた軸支部８２ｂが固定されたまま、板部８４ａの移動に伴って、振り分け部材８２の右端部に設けられた挟込部８２ｃも右側に移動する。そして、振り分け部材８２の右側の太い部分が、振り分け部材用孔部９９の上方に配置されていた（図３、６参照）のが、振り分け部材用孔部９９の下方に配置される（図４，７参照）。これにより、振り分け部材８２が下方に可動される。
【００５７】
そして、振り分けソレノイド８３の左端から突き出ている振り分け位置調整部８４ｃの長さが第一の長さのときには、振り分け部材８２は、上述した第一位置に配置される。即ち、振り分け部材８２は、誘導凸部８８の上方の位置に配置され、大入賞口開口部８１から入球された遊技球２を誘導凸部８８と振り分け部材８２とで支持できない位置に配置される。これにより、大入賞口開口部８１に入球された遊技球２は、誘導部８９の上面８９ａに落下した場合には、一般通過開口部８５に誘導される。また、大入賞口開口部８１の左側（一般通過開口部８５の近傍の上方）に入球された遊技球２は、誘導部８９の上面８９ａに落下しなくても、直接、一般通過開口部８５を通過する。なお、振り分け部材８２は、上述した第一位置に配置されていても、大入賞口開口部８１の右側（特定通過開口部８６の近傍の上方）に入球された遊技球２は、直接、特定通過開口部８６を通過する。
【００５８】
振り分けソレノイド８３の左端から突き出ている振り分け位置調整部８４ｃの長さが第二の長さのときには、振り分け部材８２は、上述した第二位置に配置される。即ち、振り分け部材８２は、誘導凸部８８と対向した間隔が遊技球２の直径より小さくなる位置であって、かつ、誘導部８９の上方において遊技球２が誘導凸部８８と振り分け部材８２とで支持されて特定通過開口部８６に振り分けられる位置に配置される。これにより、大入賞口開口部８１に入球された遊技球２が、誘導凸部８８及び振り分け部材８２との間に落下し、これらにより支持される場合には、誘導凸部８８に設けられた水平方向の傾斜に従って、特定通過開口部８６に誘導される。また、大入賞口開口部８１の右側（特定通過開口部８６の近傍の上方）に入球された遊技球２は、直接、特定通過開口部８６を通過する。
【００５９】
また、図５に示すように、振り分け部材８２の底面８２ａは、振り分け部材８２が第一位置と第二位置との間を可動している状態のうち、いずれの状態であっても、上記底面８２ａの傾斜（水平方向に対する傾斜）が誘導部８９の上面８９ａの傾斜（水平方向に対する傾斜）と平行でないように形成されている。なお、図３乃至図７では、示されていないが、大入賞口ソレノイド８ａも、取り付け板３０ａ上に配置されている。
【００６０】
このようにして構成された大入賞口装置８に具備された各部の動作、大入賞口に入球された遊技球２の誘導の仕方の説明を以下に示す。
【００６１】
メインＣＰＵ３１が大当たり遊技状態に移行すると判定すると、大入賞口の扉部８０が開状態になるように、大入賞口ソレノイド８ａを駆動させる。大入賞口ソレノイド８ａの駆動により、大入賞口の扉部８０は開状態にされる。これにより、遊技球２が大入賞口開口部８１に入球されやすい状態になる。
【００６２】
先ず、メインＣＰＵ３１は、振り分け部材８２の位置が第二位置になるような駆動を行うように、振り分けソレノイド８３を制御する。振り分けソレノイド８３は、振り分けソレノイド８３の左端から突き出ている振り分け位置調整部８４ｃの長さが第二の長さになるように振り分け位置調整部８４ｃを右側に移動させる動作を行う。すると、板部８４ａが右側に移動することにより、挟込部８２ｃの位置が右側に移動する。この結果、振り分け部材８２が下方に移動し振り分け部材８２の位置が第二位置に設定される（図４、７参照）。
【００６３】
そして、遊技球２が大入賞口開口部８１に入球され、誘導凸部８８と振り分け部材８２とにより、遊技球２が支持されると、以下の動作が行われる。遊技球２は、誘導凸部８８と振り分け部材８２とにより支持されながら、誘導凸部８８に形成された傾斜（水平方向に対する傾斜）に沿って、特定通過開口部８６に向かうように移動し、特定通過開口部８６を通過する。
【００６４】
Ｖカウントスイッチ２８Ｓは、特定通過開口部８６を通過した遊技球２を検出すると、検出信号をメインＣＰＵ３１に送る。メインＣＰＵ３１は、上記検出信号に基づいて、振り分け部材８２の位置が第一位置になるような駆動を行うように、振り分けソレノイド８３を制御する。振り分けソレノイド８３は、振り分けソレノイド８３の左端から突き出ている振り分け位置調整部８４ｃの長さが第一の長さになるように駆動する。すると、振り分け位置調整部８４ｃに巻き付けられているバネ８４ｂの付勢力により、挟込部８２ｃの位置がもとの位置（振り分け位置調整部８４ｃの長さが第二の長さにされる前における位置）に戻り、振り分け部材８２が上方に移動し振り分け部材８２の位置が第一位置に設定される（図３、６参照）。
【００６５】
そして、遊技球２が大入賞口開口部８１に入球されると、誘導凸部８８及び前壁部９０に支持されることなく、例えば、誘導部８９の上面に落下する。遊技球２は、誘導部８９の上面８９ａに形成された水平方向に対する傾斜に沿って、一般通過開口部８５に向かうように移動し、一般通過開口部８５を通過する。カウントスイッチ２９Ｓは、一般通過開口部８５を通過した遊技球２を検出すると、検出信号をメインＣＰＵ３１に送る。そして、メインＣＰＵ３１が、振り分け部材８２の位置が第二位置になるような駆動を行うように、振り分けソレノイド８３を制御するまで、振り分け部材８２の位置は、第一位置に設定されたままにされる。
【００６６】
（作用・効果）
本実施形態の弾球遊技機においては、大入賞口装置８は、大入賞口に具備された受け入れ空間の底部に設けられ、遊技球２を一般通過開口部８５に誘導する誘導部８９を有する。そして、大入賞口装置８に設けられた振り分けソレノイド８３は、所定条件が成立するか否か（例えば、大入賞口に具備されている扉部８０が開状態になってから、初めて遊技球２が特定通過開口部８６を通過した場合）に基づいて、振り分け部材８２を、遊技球２が誘導部８９により一般通過開口部８５へ振り分けられる第一位置と、前壁部９０（具体的には、前壁部９０に設けられた誘導凸部８８）と対向した間隔が遊技球２の直径より小さくなる位置であって、かつ、誘導部８９の上方において遊技球２が前壁部９０（具体的には、前壁部９０に設けられた誘導凸部８８）とで支持されて特定通過開口部８６に振り分けられる第二位置とに可動するように駆動することができる。
【００６７】
このため、振り分け部材８２が第一位置に存在するときには、大入賞口に入球された遊技球２は、誘導部８９に落下した場合、誘導部８９により一般通過開口部８５へ誘導される。一方、振り分け部材８２が第二位置に存在するときには、大入賞口に入球された遊技球２は、前壁部９０（具体的には、前壁部９０に設けられた誘導凸部８８）と振り分け部材８２とにより、遊技球２が支持された場合、遊技球２は、前壁部９０（具体的には、前壁部９０に設けられた誘導凸部８８）と振り分け部材８２とにより支持されながら、特定通過開口部８６へ誘導される。
【００６８】
このように、振り分け部材８２を第一位置又は第二位置に可動させることにより、遊技球２を誘導部８９を介して一般通過開口部８５に振り分けるか、又は、遊技球２を前壁部９０（具体的には、前壁部９０に設けられた誘導凸部８８）及び振り分け部材８２を介して、特定通過開口部８６のいずれかに振り分けるようにしているので、従来のシーソー部を設ける必要がなく、この結果、ゴミが溜まってしまうと振り分け動作が安定しなくなるような隙間を、受け入れ空間の底部に設ける必要がない。このため、従来、隙間に溜まったゴミなどのために、上記振り分けのために必要な所定の動きが行えず、遊技球２を一般通過開口部８５又は特定通過開口部８６に誘導することができないという事態が、本実施形態では、防止される。
【００６９】
従って、本実施形態では、大入賞口に入球された遊技球２を一般通過開口部８５又は特定通過開口部８６のいずれかに振り分けることを安定して行える大入賞口装置８を有する遊技機を提供することが可能となる。
【００７０】
また、本実施形態においては、大入賞口に具備されている受け入れ空間内において、遊技球２が誘導部８９を介して、一般通過開口部８５に誘導されるか、又は、遊技球２が前壁部９０（具体的には、前壁部９０に設けられた誘導凸部８８）及び振り分け部材８２を介して、特定通過開口部８６に誘導される。このため、遊技者は、大入賞口が開状態になっているとき、遊技球２が誘導部８９を介して一般通過開口部８５に誘導されるか、又は、遊技球２が前壁部９０及び振り分け部材８２を介して、特定通過開口部８６に誘導される様子を大入賞口開口部８１を介して、視認することができる。この結果、遊技者は、大入賞口に入球された遊技球２が大入賞口内の底部からあたかも浮遊しているように感じるので、遊技者を楽しませることができる。
【００７１】
また、本実施形態では、誘導部８９は、水平方向に対して、大入賞口に入球した遊技球２を一般通過開口部８５に誘導するための第一の所定角度で傾斜して構成されている。このため、誘導部８９は、振り分け部材８２が第一位置に存在するときに、大入賞口に入球された遊技球２が誘導部８９に落下した場合、上記遊技球２を確実に一般通過開口部８５へ誘導することができる。
【００７２】
また、本実施形態では、前壁部９０には、水平方向に対して、大入賞口に入球した遊技球２を特定通過開口部８６に誘導するための第二の所定角度で傾斜して構成された誘導凸部８８が設けられている。そして、振り分けソレノイド８３が振り分け部材８２を第二位置に可動するように駆動する場合、第二位置は、誘導凸部８８と振り分け部材８２との間の間隔が遊技球２の直径より小さくなる位置であって、かつ、誘導部８９の上方において遊技球２が誘導凸部８８と振り分け部材８２とで支持されて特定通過開口部８６に振り分けられる位置である。このため、振り分け部材８２が第二位置に存在するときに、大入賞口に入球された遊技球２が誘導凸部８８と振り分け部材８２との間に落下した場合、上記遊技球２を確実に特定通過開口部８６へ誘導することができる。
【００７３】
また、本実施形態では、振り分け部材８２は、上下方向に可動可能であり、誘導部８９の上面８９ａは、上記第一の所定角度で傾斜して形成されており、振り分け部材８２の底面８２ａは、振り分け部材８２が第一位置と第二位置との間を可動している状態のうち、いずれの状態であっても、当該底面８２ａの傾斜が誘導部８９の上面８９ａの傾斜と平行でないように形成されている。
【００７４】
遊技球２が誘導部８９の上面８９ａに存在しているときに、振り分け部材８２が第二位置に移動しようとしている場合、振り分け部材８２の底面８２ａと、誘導部８９の上面８９ａとにより遊技球２が挟まれる場合がある。このような場合、上記底面８２ａの傾斜が誘導部８９の上面８９ａの傾斜と平行であると、遊技球２が挟まったまま、移動できなくなってしまい、その遊技球２の振り分けができなくなってしまうとともに、振り分け部材８２がそのまま動かなくなってしまうことになる。     
。本実施形態では、上記底面８２ａの傾斜が誘導部８９の上面８９ａの傾斜と平行でないので、遊技球２が上記底面８２ａ及び誘導部８９の上面８９ａに挟まれても、移動することが可能であり、その遊技球２の振り分けを行えるとともに、振り分け部材８２が動かなくなってしまう事態が回避できる。従って、大入賞口に入球された遊技球２を一般通過開口部８５又は特定通過開口部８６のいずれかに振り分けることを一層安定して行うことが可能である。
【００７５】
また、従来のようにシーソー部の傾きを変化させることにより、遊技球２の振り分けを行わせるようにすると、複数の遊技球２がシーソー部に乗った場合、以下のような問題があった。例えば、一般通過開口部８５に遊技球２を誘導する場合、それらの遊技球２の重さのために、一般通過開口部８５に遊技球２を誘導するためのシーソー部の傾きが、特定通過開口部８６に遊技球２を誘導するための傾きとなってしまう場合があった。本実施形態では、上記のシーソー部が設けられていないので、そのような問題はなく、大入賞口に入球された遊技球２を一般通過開口部８５又は特定通過開口部８６のいずれかに振り分けることを安定して行うことが可能である。
【００７６】
（変更例）
上述した実施形態では、誘導凸部８８は、前壁部９０に設けられていたが、後壁部９１に設けられても良い。即ち、後壁部９１には、水平方向に対して、大入賞口に入球した遊技球２を特定通過開口部８６に誘導するための第二の所定角度で傾斜して構成された誘導凸部８８が設けられていてもよい。
【００７７】
また、誘導凸部８８は、振り分け部材８２に設けられても良い。即ち、振り分け部材８２には、水平方向に対して、大入賞口に入球した遊技球２を特定通過開口部８６に誘導するための第二の所定角度で傾斜して構成された誘導凸部８８が設けられていてもよい。そして、第二位置は、誘導凸部８８と、前壁部９０又は後壁部９１との間の間隔が遊技球２の直径より小さくなる位置であって、かつ、誘導部８９の上方において遊技球２が誘導凸部８８と前壁部９０又は後壁部９１とで支持されて特定通過開口部８６に振り分けられる位置であってもよい。
【００７８】
なお、前壁部９０は、誘導凸部８８と一体成形されてもよい。この場合、前壁部９０は、誘導凸部８８を含む構成となる。同じく、後壁部９１は、誘導凸部８８と一体成形されてもよい。この場合、後壁部９１は、誘導凸部８８を含む構成となる。同じく、振り分け部材８２は、誘導凸部８８と一体成形されてもよい。この場合、振り分け部材８２は、誘導凸部８８を含む構成となる。
【００７９】
また、上述した実施形態において、第一床部９４ａには、一般通過開口部８５が設けられ、第二床部９４ｂには、特定通過開口部８６が設けられるようにしたが、以下のようにしてもよい。即ち、第一床部９４ａには、特定通過開口部８６が設けられ、第二床部９４ｂには、一般通過開口部８５が設けられるようにしてもよい。そして、振り分け部材８２が第一位置に存在するときに、大入賞口に入球された遊技球２が、誘導部８９に落下した場合、誘導部８９により特定通過開口部８６へ誘導されるようにしてもよい。一方、振り分け部材８２が第二位置に存在するときに、大入賞口に入球された遊技球２が、前壁部９０と振り分け部材８２とにより、遊技球２が支持された場合、遊技球２は、前壁部９０と振り分け部材８２とにより支持されながら、一般通過開口部８５へ誘導されるようにしてもよい。
【００８０】
また、上述の実施形態では、振り分け部材８２は、上下方向に可動可能であったが、これに限定されず、振り分け部材８２は、例えば、遊技機１の裏側から前面方向に可動可能であるようにしてもよい。
【００８１】
また、誘導凸部８８における水平方向に対する傾斜角度は、図３乃至図７に示す角度に限定されず、遊技球２が特定通過開口部８６に誘導できる角度であればよい。同じく、誘導部８９における水平方向に対する傾斜角度は、図３乃至図７に示す角度に限定されず、遊技球２が一般通過開口部８５に誘導できる角度であればよい。
【００８２】
また、実施形態では、水平方向における誘導凸部８８の長さは、水平方向における誘導部８９の長さより短くなっていたが、これに限定されない。例えば、水平方向における誘導凸部８８の長さは、水平方向における誘導部８９の長さより長くても良いし、水平方向における誘導凸部８８の長さは、水平方向における誘導部８９の長さと略同じであってもよい。そして、振り分け部材８２は、上述した第二位置に配置されていても、大入賞口開口部８１の左側（一般通過開口部８５の近傍の上方）に入球された遊技球２は、直接、一般通過領域を通過するようにしてもよい。
【００８３】
また、誘導凸部８８は、前壁部９０、後壁部９１、振り分け部材８２のいずれにも設けられないようにしても良い。この場合、例えば、振り分け部材８２の上面は、水平方向に対して、遊技球２を特定通過開口部８６に誘導するための角度で傾斜して形成されている。そして、大入賞口に入球した遊技球２を前壁部９０又は後壁部９１と、振り分け部材８２の上面の前壁部９０側（又は後壁部９１側）の部分とにより、支持して、上記遊技球２が特定通過開口部８６に誘導されるようにしてもよい。
【００８４】
また、水平方向において、大入賞口開口部８１の長さと、誘導凸部８８の長さと、を、誘導部８９の長さと略同じにするようにしてもよい。これにより、振り分け部材８２が第一位置に存在する場合には、大入賞口に入球された遊技球２は、全て誘導部８９に落下するようにし、誘導部８９により一般通過開口部８５へ誘導されるようにしてもよい。一方、振り分け部材８２が第二位置に存在する場合には、大入賞口に入球された遊技球２は、全て、前壁部９０と振り分け部材８２とにより、遊技球２が支持され、全ての遊技球２は、前壁部９０と振り分け部材８２とにより支持されながら、特定通過開口部８６へ誘導されるようにしてもよい。
【図面の簡単な説明】
【００８５】
【図１】本実施形態における弾球遊技機の外観を示す図である。
【図２】本実施形態における弾球遊技機の内部構造を示す図である。
【図３】本実施形態において、振り分け部材が上方に可動している場合における大入賞口装置の詳細な構成を示す正面図である。
【図４】本実施形態において、振り分け部材が下方に可動している場合における大入賞口装置の詳細な構成を示す正面図である。
【図５】本実施形態において、振り分け部材が可動している間における大入賞口装置の詳細な構成を示す図である。
【図６】本実施形態において、振り分け部材が上方に可動している場合における大入賞口装置の詳細な構成を示す斜視図である。
【図７】本実施形態において、振り分け部材が下方に可動している場合における大入賞口装置の詳細な構成を示す斜視図である。
【符号の説明】
【００８６】
１…弾球遊技機、２…遊技球、３ａ…第１遊技球誘導部材、３ｂ…第２遊技球誘導部材、４…液晶表示装置、５…一般入賞口、６…始動口、６Ｓ…始動入賞球スイッチ、７…アウト口、８…大入賞口装置、８ａ…大入賞口ソレノイド、１８Ｓ…一般入賞球スイッチ、２０…上皿部、２１…下皿部、２４…発射ハンドル、２５…スピーカ、２６…ランプ、２８Ｓ…Ｖカウントスイッチ、２９Ｓ…カウントスイッチ、３０…主制御回路、３０…遊技盤，３０ａ…取り付け板，３１…ＣＰＵ，３２…メインＲＯＭ，３３…メインＲＡＭ，３６…シリアル通信用ＩＣ、４０…副制御回路、４１…サブＣＰＵ、４２…サブＲＯＭ、４３…サブＲＡＭ、４５…画像処理回路、４６…音処理回路、４７…ランプ処理回路、５０…外枠、５１…ＶＤＰ、５２…Ｄ／Ａコンバータ、５３…初期リセット回路、５４…画像データＲＯＭ、６１…音源ＩＣ、６２…ＡＭＰ、６３…音データＲＯＭ、７１…装飾データＲＯＭ、７２…ドライブ回路、７９…発射制御回路、７９ａ…払出装置，７９ｂ…発射装置，８０…扉部，８１…大入賞口開口部，８２…振り分け部材，８２ａ…底面，８２ｂ…軸支部，８２ｃ…挟込部，８３…振り分けソレノイド，８４ａ…板部，８４ｂ…バネ，８４ｃ…振り分け位置調整部，８５…一般通過開口部，８６…特定通過開口部，８８…誘導凸部，８９…誘導部，８９ａ…上面，９０…前壁部，９１…後壁部，９３ａ…第一側壁部，９３ｂ…第二側壁部，９４ａ…第一床部，９４ｂ…第二床部，９５…上壁部，９９…振り分け部材用孔部。
【図１】
2005152272.tif 000003
【図２】
2005152272.tif 000004
【図３】
2005152272.tif 000005
【図４】
2005152272.tif 000006
【図５】
2005152272.tif 000007
【図６】
2005152272.tif 000008
【図７】
2005152272.tif 000009